(57)【要約】【課題】生番組のＣＭ部分を差し替えて放送する際に、放送実績データを別の時間帯にコピー（流用）して再放送用のＯＡデータを作成すると、差し替えたＣＭ部分はリアルタイムデータとしてコピーされるため、元ＣＭのチラ見えが発生してしまう。【解決手段】通常のアンタイムデータ  とは別区分であるが、放送時刻はアンタイムデータと同様に００：００：００で指定され、ＴＡＫＥ指示を受けるまでは放送しない同期アンタイムデータの区分を“Ｓ”と指定する。同期アンタイムデータについては、再放送用の収録時に新リアルタイム化処理を施す。データを取得し（ｓｔｅｐ５−１）、リアルタイムデータであるか否かを判定し（ｓｔｅｐ５−２）、さらにデータＥＮＤであるか否かを判定し（ｓｔｅｐ５−３）、データＥＮＤでない場合には確定すべき放送時刻を算出する（ｓｔｅｐ５−４）。新リアルタイム化された同期アンタイムグループは同期秒で扱われる。【選択図】    図１
2004215032.tif 000002
【特許請求の範囲】
【請求項１】
放送番組制御データ（以下、イベントデータ）を、少なくとも送出対象素材の発効予定時刻、及び発効形態の指定と共に記憶したイベントデータ記憶部と、
照合時刻の一致によって自動発効可能となるリアルタイムデータを制御するための同期秒もしくは手動により任意の時刻に発効可能となるアンタイムデータを制御するための非同期秒のいずれかをシステム時刻として提供する時計装置と、個々の前記イベントデータに含まれる発効予定時刻と前記時計装置から取得したシステム時刻との照合を行う時刻照合手段と、
前記指定された発効形態のイベントデータは前記リアルタイムデータ、又は前記アンタイムデータ、又は直前のイベントデータの発効後予め定めた時間経過毎に発効可能となるディアレーションデータのいずれかであり、前記時刻照合に基づく自動発効の禁止及びその解除を切り替える状態切替手段と、前記アンタイムデータを強制発効させるとともにその後に続く発効予定時刻のイベントデータをリアルタイムデータに変換する強制発効手段と、前記リアルタイムデータに変換されたアンタイムデータ及びイベントデータを放送実績データとして記録保持する放送実績データ記録部とを備えてなる放送番組制御装置において、
前記放送実績データを元に再放送用イベントデータを作成する場合、
前記アンタイムデータのうち予め指定されたものについては、前記時刻装置から同期秒をシステム時刻として取得して前記強制発効手段でリアルタイムデータに変換することを特徴とする、放送番組制御装置のアンタイム制御方法。
【発明の詳細な説明】
【０００１】
【発明の属する技術分野】
本発明は、テレビ自動番組制御装置のアンタイム制御方法に関し、特にテレビ放送局において生番組中のコマーシャル（以下、ＣＭと略す）部分を差し替えて再放送する際に、放送実績データをそのまま流用しても、差し替え部分の隙間に元ＣＭデータが残りそのまま放送されてしまう「チラ見え」防止に関するアンタイム制御方法に関する。
【０００２】
【従来の技術】
テレビ放送局において、生番組を収録し、ＣＭ部分を差し替えて再放送する場合、放送実績データをそのまま流用することはできなかった。それは再放送時に、隙間に残った差し替え前の元ＣＭデータが放送されてしまう現象、いわゆるチラ見えが発生してしまうためである。以下、図面を参照してこの現象につき簡単に説明する。
【０００３】
生番組以外では、本編や中ＣＭのオンエア（以下ＯＡ）タイミングはあらかじめ定められており、その情報は放送時刻としてＯＡデータに指定されている。このように放送時刻が確定しているＯＡデータは「リアルタイムデータ」と呼ばれ、テレビ番組自動制御装置はこれを「同期秒」によって制御する。
【０００４】
図６はリアルタイムデータによる番組のＯＡを図示したものであり、本編からＣＭ、ＣＭから本編への切替えタイミングで、同期秒で制御されていることを示している。
【０００５】
これに対して生番組では、本編の中ＣＭのタイミングは未確定であり、番組の進行状況によりオペレータのＴＡＫＥ指示による任意のタイミングでＯＡされる。このように放送時刻が未確定のＯＡデータは「アンタイムデータ」と呼ばれ、テレビ番組自動制御装置はこれを「非同期秒」によって制御している。
【０００６】
図７はアンタイムデータによる番組のＯＡを図示したものであり、本編からＣＭ、ＣＭから本編への切替えタイミングが非同期秒で制御されていることを示している。なお、リアルタイムデータとアンタイムデータはＯＡデータのアンタイム区分欄に記録されるステータス情報で区別される。リアルタイムデータのアンタイム区分は「未指定」で、アンタイムデータには“Ｕ”が指定されている。これに対してアンタイム区分欄に“Ｄ”が指定されるＯＡデータは、アンタイムデータに付随するディアレーションデータである。ディアレーションデータは、直前のアンタイムデータがＯＡされた後、あらかじめ定められた時間経過後にＯＡされるＯＡデータであるが、このディアレーションデータと基点となるアンタイムデータを併せてアンタイムグループが構成される。
【０００７】
図８はリアルタイムデータの例を示し、図９はアンタイムグループのＯＡデータの例を示す。図９が示すように、確定する前のアンタイムデータの放送時刻には「００：００：００」が指定され、ディアレーションの放送時刻にはアンタイムデータからの待ち時間が指定されている。これが図１０に示すようにアンタイムデータの放送時刻が確定すると、ディアレーションデータの放送時刻も確定し、ともにリアルタイムデータとして放送実績データとして記録される。
【０００８】
通常、処理部１はメモリ２に格納されているＯＡデータを読み出し、そのＯＡデータ中の時刻情報と時計ドライバ部１２を介して時刻入出力Ｉ／Ｏ部３から送出される現在時刻情報とを比較照合し、指定時刻になると制御処理部１１にて放送するよう制御を行う。放送済みのＯＡデータは制御処理部１１にて制御済みフラグをたてられ、「放送実績データ」となる。
【０００９】
制御処理１１に渡された現在時刻情報には、リアルタイムデータを制御するための「同期秒」と、アンタイムデータを制御するための「非同期秒」とがある。同期秒は常に時計入出力Ｉ／Ｏ３から時計ドライバ１２を介して毎秒渡されるが、非同期秒に関してはリアルタイム化処理部１４にて時計入出力Ｉ／Ｏ３に非同期秒スタートが行われた際に渡される。
【００１０】
リアルタイム化処理部１４はＴＡＫＥ入力処理部１３のＴＡＫＥ指示によって起動する。図１０はＴＡＫＥ入力処理部１３の詳細動作を示す処理フローチャートである。
【００１１】
ＴＡＫＥ入力処理部１３は、制御ＬＡＮＩ／Ｏ部４を介してＴＡＫＥ指示を受けた際、ＮＥＸＴデータを取得し、データの区分が“Ｕ”であるかどうかチェックする（ｓｔｅｐ１０−１〜ｓｔｅｐ１０−２）。取得したデータが“Ｕ”データである場合（ｓｔｅｐ１０−３）、ＴＡＫＥ指示が有効であると判断してリアルタイム処理部１５を起動する。取得したデータが“Ｕ”データでない場合は、エラー出力を出して（ｓｔｅｐ１０−４）処理終了する。
【００１２】
次にリアルタイム化処理部１４の処理内容について、図１１の処理フローチャートを用いて説明する。
【００１３】
リアルタイム化処理１４は、リアルタイム化実行フラグをＯＦＦにして（ｓｔｅｐ１１−１）、リアルタイムデータを取得するか、ＯＡデータがＥＮＤになるまでＯＡデータをＯＡ−ＮＥＸＴから１データずつ読み出し（ｓｔｅｐ１１−２〜ｓｔｅｐ１１−４）、アンタイムデータの確定すべき放送時刻を算出する。確定すべき放送時刻はＯＡデータに指定されている放送時刻と現在時刻情報を加算することによって得られ、これをＯＡデータの放送時刻として書き換え、同時にＯＡデータの非同期制御対象フラグをＯＮにする（ｓｔｅｐ１１−５）。アンタイムデータの放送時刻を確定した後は、リアルタイム化実行フラグをＯＮにする（ｓｔｅｐ１１−６）。
【００１４】
リアルタイムデータを取得するか、ＯＡデータがＥＮＤになりアンタイムデータの放送時刻確定処理が終了した場合、リアルタイム化実行フラグがＯＮか否かチェックを行い、ＯＮの場合は時計入出力Ｉ／Ｏ部３に対して非同期秒をスタートさせ、非同期制御中フラグをＯＮとする（ｓｔｅｐ１１−７）。
【００１５】
続いて制御処理部１１にて現在時刻と制御データを照合し、ＯＡデータを放送実績データとするまでの処理について図１２を参照して説明する。
【００１６】
制御処理部１１では、既に渡されている現在時刻が非同期秒か同期秒かをチェックし（ｓｔｅｐ１２−１）、同期秒の場合、照合件数に至るか、あるいはＯＡデータがＥＮＤになるまで、ＯＡデータをＯＡ−ＮＥＸＴから１データずつ読み出し（ｓｔｅｐ１２−２〜ｓｔｅｐ１２−４）、１データ毎に現在時刻とＯＡデータ内の時刻情報を比較する（ｓｔｅｐ１２−５）。比較結果が一致した場合は、このＯＡデータに制御済みフラグを付加する（ｓｔｅｐ１２−６）。非同期秒の場合は、非同期制御中フラグをチェックし（ｓｔｅｐ１２−７）、フラグがＯＦＦの場合は非同期秒制御を行なわずに処理終了するが、フラグがＯＮの場合は、照合件数に至るか、あるいはＯＡデータがＥＮＤになるか、あるいは非同期制御対象フラグがＯＦＦのデータを読み出すまで、ＯＡデータをＯＡ−ＮＥＸＴから１データずつ読み出し（ｓｔｅｐ１２−８〜ｓｔｅｐ１２−１１）、現在時刻と比較し、一致した場合はこのＯＡデータに制御済みフラグを付加する（ｓｔｅｐ１２−１２〜ｓｔｅｐ１２−１３）。
【００１７】
上述のように生番組では、中ＣＭが非同期秒で制御されるため、再放送用に生番組を収録した場合にはＣＭ部分は非同期秒で収録されることになる。一方、アンタイムデータはオペレータのＴＡＫＥ指示により放送時刻が確定したため、放送実績データ上はリアルタイムデータとして残される。
【００１８】
【発明が解決しようとする課題】
従来のテレビ番組自動制御装置においては、生番組のＣＭ部分を差し替えて放送する際に、放送実績データを別の時間帯にコピー（流用）して再放送用のＯＡデータを作成すると、差し替えたＣＭ部分はリアルタイムデータとしてコピーされてしまうために、同期秒で制御されることとなり、図１３に示すように差し替えＣＭ部分で元ＣＭのチラ見えが発生してしまうという課題を生じていた。
【００１９】
本発明の目的は、生番組の放送実績データを別の時間帯にコピーして再放送用のＯＡを作成する際に「チラ見え現象」を排除することの可能なテレビ番組自動制御装置のアンタイム制御方法を提供することにある。
【００２０】
【特許文献１】
特開２００１−４５３７１号公報
【００２１】
【課題を解決するための手段】
以上の課題を鑑み、本発明の放送番組制御装置のアンタイム制御方法は、放送番組制御データ（以下、イベントデータ）を、少なくとも送出対象素材の発効予定時刻、及び発効形態の指定と共に記憶したイベントデータ記憶部と、照合時刻の一致によって自動発効可能となるリアルタイムデータを制御するための同期秒もしくは手動により任意の時刻に発効可能となるアンタイムデータを制御するための非同期秒のいずれかをシステム時刻として提供する時計装置と、個々の前記イベントデータに含まれる発効予定時刻と前記時計装置から取得したシステム時刻との照合を行う時刻照合手段と、前記指定された発効形態のイベントデータは前記リアルタイムデータ、又は前記アンタイムデータ、又は直前のイベントデータの発効後予め定めた時間経過毎に発効可能となるディアレーションデータのいずれかであり、前記時刻照合に基づく自動発効の禁止及びその解除を切り替える状態切替手段と、前記アンタイムデータを強制発効させるとともにその後に続く発効予定時刻のイベントデータをリアルタイムデータに変換する強制発効手段と、前記リアルタイムデータに変換されたアンタイムデータ及びイベントデータを放送実績データとして記録保持する放送実績データ記録部とを備えてなる放送番組制御装置において、
前記放送実績データを元に再放送用イベントデータを作成する場合、
前記アンタイムデータのうち予め指定されたものについては、前記時刻装置から同期秒をシステム時刻として取得して前記強制発効手段でリアルタイムデータに変換することを特徴としている。
【００２２】
【発明の実施の形態】
以下、本発明にかかるテレビ番組自動制御装置の同期アンタイム制御方法の実施形態につき、図面を参照して詳細に説明する。
【００２３】
図１は本発明が適用されるテレビ番組自動制御装置の構成ブロック図である。テレビ番組自動制御装置（以下ＡＰＳ）の制御部は、処理部１と、メモリ２と、時計入出力Ｉ／Ｏ部３と、制御ＬＡＮＩ／Ｏ部４と、通信ＬＡＮＩ／Ｏ部５とによって構成されている。また、被制御機器６およびスイッチャ１０は制御ＬＡＮを介して接続されており、上位システム７およびＯＡモニタ８および操作端末９は通信ＬＡＮを介して接続されている。
【００２４】
メモリ２にはＯＡデータが格納される。ＯＡデータはあらかじめリアルタイムデータかアンタイムデータかが指定されている。
【００２５】
処理部１内には、時計入出力Ｉ／Ｏ部３から現在時刻情報を受けて、制御処理部１１にその情報を送出する時計ドライバ部１２と、制御ＬＡＮＩ／Ｏ部４からのＴＡＫＥ指示を受け取り、リアルタイム化処理部１４を起動するＴＡＫＥ入出力処理部と１３と、メモリ２に格納されているＯＡデータを読み出し、そのＯＡデータ中の時刻情報と現在時刻とを比較し、ＯＡデータの放送制御を行う制御処理部１１が設けられている。
【００２６】
図２に本発明の同期アンタイムデータの時刻確定前の指定例を示す。同期アンタイムデータは、従来技術と同様にディアレーションデータと併せてアンタイムグループを形成している。同期アンタイムデータのアンタイム区分欄には“Ｓ”が指定されており、これは通常のアンタイムデータ（区分）の“Ｕ”とは別の区分であるが、放送時刻はアンタイムデータと同様に００：００：００が指定されている。また、これもアンタイムデータと同様、オペレータによるＴＡＫＥ指示を受けるまでは放送されない。
【００２７】
続いて本発明の動作について図３および図４のフローチャートを参照して説明する。
【００２８】
ＴＡＫＥ入力処理部１３にて、ＯＡデータをＯＡ−ＮＥＸＴから１データを取り出し（ｓｔｅｐ３−１）、このデータのデータ区分が“Ｓ”であるかを判定する（ｓｔｅｐ３−５）。ＯＡデータのデータ区分が“Ｓ”でない場合は、図９の処理フローチャートと同じ処理に移行するため説明を省略する。データ区分が“Ｓ”の場合は、新リアルタイム化処理１５を起動する（ｓｔｅｐ３−６）。
【００２９】
図４は新リアルタイム化処理部１５の動作を示す処理フローチャートである。この処理ではＯＡデータをＯＡ−ＮＥＸＴから１データ取得し（ｓｔｅｐ４−１）、これをリアルタイムデータであるかどうか判定し（ｓｔｅｐ４−２）、リアルタイムデータである場合はデータＥＮＤであるか否かを判定し（ｓｔｅｐ４−３）、データＥＮＤでない場合には確定すべき放送時刻を算出する（ｓｔｅｐ４−４）。この処理フローチャートはすなわち、リアルタイム化処理部１４の処理（図１１の処理フローチャート）から、同期アンタイムデータを制御処理部１１にて非同期秒制御で実行させるためのフラグＯＮ処理を省いたものであり、この処理により、図５に示すように、時刻確定後の放送実績データは生ＣＭ部分が同期秒によって残される。こうして新リアルタイム化された同期アンタイムグループは、制御処理部１１（図１２で示す制御処理フローチャート）では同期秒で扱われることとなる。
【００３０】
【発明の効果】
本発明の同期アンタイム制御方法においては、生番組の中ＣＭを同期アンタイムグループとして指定し放送実績データを残しておくことによって、オペレータが任意のタイミングにＴＡＫＥ指示を出しても、中ＣＭは同期秒で制御される。すなわちこの番組を再放送するために収録した場合、中ＣＭは同期秒で収録されることとなる。これにより、リアルタイムデータで残された放送実績データを別時間帯にコピー（流用）してＣＭ部分を差し替えても、同期秒による差し替えが可能となり、元ＣＭのチラ見えは排除される。
【図面の簡単な説明】
【図１】本発明の実施形態の構成ブロック図である。
【図２】同期アンタイムデータの放送時刻確定前の指定例を示す図である。
【図３】同期アンタイムデータを指定した生番組を再放送用に収録する際のＴＡＫＥ入力処理を示すフローチャートである。
【図４】新リアルタイム化処理を示すフローチャートである。
【図５】同期アンタイムデータの放送時刻確定後に残る放送実績データを示す図である。
【図６】同期秒によるリアルタイムデータのＯＡ処理を説明するイメージである。
【図７】非同期秒によるアンタイムデータのＯＡ処理を説明するイメージである。
【図８】リアルタイムデータの指定例を示す図である。
【図９】アンタイムグループの放送時刻確定前および放送時刻確定後に残る放送実績データを示す図である。
【図１０】アンタイムデータを指定した生番組を再放送用に収録する際のＴＡＫＥ入力処理を示すフローチャートである。
【図１１】リアルタイム化処理を示すフローチャートである。
【図１２】制御処理部にて現在時刻と制御データを照合し、ＯＡデータを放送実績データとするまでの処理フローチャートである。
【図１３】再放送時に元ＣＭがチラ見えする原因を示すイメージである。
【符号の説明】
１    処理部
２    メモリ
３    時計入出力Ｉ／Ｏ
４    制御ＬＡＮＩ／Ｏ
５    通信ＬＡＮＩ／Ｏ
６    被制御機器
７    上位システム
８    ＯＡモニタ
９    操作端末
１０  スイッチャ
１１  制御処理部
１２    時計ドライバ
１３    ＴＡＫＥ入力処理部
１４    リアルタイム化処理部
１５    新リアルタイム化処理部
【図１】
2004215032.tif 000003
【図２】
2004215032.tif 000004
【図３】
2004215032.tif 000005
【図４】
2004215032.tif 000006
【図５】
2004215032.tif 000007
【図６】
2004215032.tif 000008
【図７】
2004215032.tif 000009
【図８】
2004215032.tif 000010
【図９】
2004215032.tif 000011
【図１０】
2004215032.tif 000012
【図１１】
2004215032.tif 000013
【図１２】
2004215032.tif 000014
【図１３】
2004215032.tif 000015